(57)【要約】      （修正有）【課題】複数種類の異なるメッシュの一時的なブロッキング剤を同時に調製でき、操作しやすく、調製効率が高い、ブロッキング剤調整装置を提供する。【解決手段】切断機構１、乾燥材給料機構２、溶剤投与管３、複数の調製室（第１調製室４、第２調製室６および第３調製室７）を備え、第１調製室、第２調製室および第３調製室は順に連通され、間にフィルター４１、６２で仕切られており、切断機構はカッター１３１、カッターヘッド１３、Ｚ字形ロッド１１、回転軸１２を含み、乾燥材給料機構は転送切断板２２および乾燥材管２１を含む油田破砕用の一時的なブロッキング剤調製装置である。【選択図】図１
0003226456.tif 000002
【実用新案登録請求の範囲】
【請求項１】
乾燥材を切断するための切断機構（１）と、乾燥材を転送するための乾燥材給料機構（２
）と、溶剤を投与するための溶剤投与管（３）と、異なるメッシュの一時的なブロッキン
グ剤を調製するための第１調製室（４）、第２調製室（６）および第３調製室（７）と、
を備え、前記第１調製室（４）、前記第２調製室（６）および前記第３調製室（７）は順
に連通され、各調製室の間はフィルターで仕切られており、前記それぞれの調製室の下方
に収集バケット（８）が接続され、
前記切断機構（１）は、切断用のカッター（１３１）、前記カッター（１３１）を搭載す
るためのカッターヘッド（１３）、前記切断機構（１）に垂直動力を供給するためのＺ字
形ロッド（１１）、前記カッターヘッド（１３）と前記Ｚ字形ロッド（１１）を接続する
ための回転軸（１２）を含み、
前記乾燥材給料機構（２）は、前記切断装置（１）の下方に設けられた転送切断板（２２
）および前記転送切断板（２２）の一端の上方に設けられた乾燥材管（２１）を含み、
前記第１調製室（４）は、乾燥材を予備粉砕し溶剤と混合させるための回転ドラム（５）
、および予備濾過用の第１フィルター（４１）を含み、前記回転ドラム（５）上に溶剤と
乾燥材を前記回転ドラム（５）に流入させるための複数の液入口（５２）が設けられ、前
記各液入口（５２）上に回転ドラム（５）の回転中に液体が流出するのを防止するための
遠心バッフル機構（５３）が設けられ、
前記第２調製室（６）は、供給物を攪拌するための攪拌機（６１）、および濾過のための
第２フィルター（６２）を含むことを特徴とする油田破砕用の一時的なブロッキング剤調
製装置。
【請求項２】
前記カッターヘッド（１３）上の各カッター（１３１）上に、各カッター（１３１）間の
距離を調節するための調節ブロック（１３２）が設けられることを特徴とする請求項１に
記載の油田破砕用の一時的なブロッキング剤調製装置。
【請求項３】
前記溶剤投与管（３）の内部にらせん状の溶剤混合管（３１）が設けられることを特徴と
する請求項１に記載の油田破砕用の一時的なブロッキング剤調製装置。
【請求項４】
前記遠心バッフル機構（５３）は、前記液入口（５２）を封止するための液入口カバー（
５３１）、および前記液入口カバー（５３１）を制御するためのリターンスプリング（５
３２）を含むことを特徴とする請求項１に記載の油田破砕用の一時的なブロッキング剤調
製装置。
【請求項５】
前記回転ドラム（５）上に、溢れた溶剤を攪拌するための複数の回転歯（５１）が設けら
れたことを特徴とする請求項１に記載の油田破砕用の一時的なブロッキング剤調製装置。
【考案の詳細な説明】
【技術分野】
【０００１】
本実用新案は油田破砕装置の技術分野に属し、具体的には油田破砕用の一時的なブロッキ
ング剤調製装置に関する。
【背景技術】
【０００２】
一時的なブロッキング剤は、地層の透過性を一時的に低下させたり、高透過性の油層を一
時的にブロックしたりする物質である。現在の一時的なブロッキング剤は、予備的な準備
材料を手作業で切断する必要があり、一時的なブロッキング剤は多くの異なるメッシュ仕
様に分割され、異なる仕様の一時的なブロッキング剤が完全に異なる方式で使用されるが
、現在の一時的なブロッキング剤は１つの仕様メッシュだけ必要するので、調製中に無駄
が多く、将来別のメッシュサイズの一時的なブロッキング剤が必要になった場合、再構成
する必要があり、面倒で無駄が多く、普及応用を助長しない。
【考案の概要】
【０００３】
本実用新案の技術手段は、油田破砕用の一時的なブロッキング剤調製装置を提供し、それ
は主に、乾燥材を定量的に切断するための切断機構と、乾燥材を転送するための乾燥材給
料機構、溶剤液体を投与するための溶剤投与管、異なるメッシュの一時的なブロッキング
剤を調製するための複数の調製室（第１調製室、第２調製室および第３調製室）とを備え
、前記第１調製室、前記第２調製室および前記第３調製室は順に連通され、間にフィルタ
ーで仕切られており、前記それぞれの調製室の下方に収集バケットが接続され、
前記切断機構は、切断用のカッター、前記カッターを搭載するためのカッターヘッド、前
記切断機構に垂直動力を提供するためのＺ字形ロッド、前記カッターヘッドと前記Ｚ字形
ロッドを接続するための回転軸を含み、
前記乾燥材給料機構は、前記切断装置の下方に設けられた転送切断板および前記転送切断
板の一端の上方に設けられた乾燥材管を含み、
前記第１調製室は、乾燥材を予備粉砕し溶剤と混合させるための回転ドラム、および予備
濾過用の第１フィルターを含み、前記回転ドラム上に溶剤と乾燥材を前記回転ドラムに流
入させるための複数の液入口が設けられ、前記各液入口上に回転ドラムの回転中に液体が
流出するのを防止するための遠心バッフル機構が設けられ、
前記第２調製室は、供給物を攪拌するための攪拌機、およびさらなる濾過のための第２フ
ィルターを含む。
【０００４】
さらに、前記カッターヘッド上の各カッター上に、各カッター間の距離を調節するための
調節ブロックが設けられ、乾燥材の長さを制御しやすい。
【０００５】
さらに、前記溶剤投与管の内部にらせん状の溶剤混合管が設けられ、複数種類の溶剤が回
転ドラムに入る前に予備混合され、調製効率が向上する。
【０００６】
さらに、前記遠心バッフル機構は、前記液入口を封止するための液入口カバー、および前
記液入口カバーを制御するためのリターンスプリングを含み、回転ドラムの回転中、液体
こぼれにより調製効果に影響するのを防止する。
【０００７】
さらに、前記回転ドラム上に複数の回転歯が設けられ、溢れた液体を混合できないのを防
止する。
【０００８】
本実用新案の有益な効果は以下の通りである。
第一、本実用新案には、複数の調製室が設けられ、各調製室の間にメッシュを介したフィ
ルターが設けられ、本実用新案は複数種類の異なるメッシュの一時的なブロッキング剤を
一度に調製でき、調製効率が向上し、一時的なブロッキング剤の適用範囲が広くなる。
第二、切断機構の設置により、本実用新案では、予備給料階段の効率が向上し、乾燥材の
手動準備時間を短縮し、且つ本実用新案中の切断機構によって広い範囲の切断ができ、よ
り柔軟に使用できる。
第三、遠心バッフル機構を備えた回転ドラムの設置によって、混合剤と乾燥材をより迅速
に混合でき、同時に回転ドラム外部に設けられた回転歯によって溢れた一部の混合剤を攪
拌し、リソースの無駄を回避することができる。
【図面の簡単な説明】
【０００９】
【図１】図１は本実用新案の内部構造の概略正面図である。
【図２】図２は本実用新案の回転ドラム構造の概略斜視図である。
【図３】図３は本実用新案の回転ドラム内部構造の概略正面図である。
【図４】図４は本実用新案の転送切断板ギアの噛み合い方式の概略図である。
【００１０】
符号の説明
１    切断機構
１１    Ｚ字形ロッド
１２    回転軸
１３    カッターヘッド
１３１    カッター
１３２    調節ブロック
２    乾燥材給料機構
２１    乾燥材管
２２    転送切断板
３    溶剤投与管
３１    溶剤混合管
４    第１調製室
４１    第１フィルター
５    回転ドラム
５１    回転歯
５２    液入口
５３    遠心バッフル機構
５３１    液入口カバー
５３２    リターンスプリング
６    第２調製室
６１    攪拌機
６２    第２フィルター
７    第３調製室
８    収集バケット
【考案を実施するための形態】
【００１１】
実施例１
図１に示すように、主に、乾燥材を定量的に切断するための切断機構（１）と、乾燥材を
転送するための乾燥材給料機構（２）、溶剤液体を投与するための溶剤投与管（３）、異
なるメッシュの一時的なブロッキング剤を調製するための複数の調製室（第１調製室（４
）、第２調製室（６）および第３調製室（７））とを備え、前記第１調製室（４）、前記
第２調製室（６）および前記第３調製室（７）は順に連通され、間にフィルターで仕切ら
れており、前記それぞれの調製室の下方に収集バケット（８）が接続され、
前記切断機構（１）は、切断用のカッター（１３１）、前記カッター（１３１）を搭載す
るためのカッターヘッド（１３）、前記切断機構（１０）に垂直動力を提供するためのＺ
字形ロッド（１１）、前記カッターヘッド（１３）と前記Ｚ字形ロッド（１１）を接続す
るための回転軸（１２）を含み、
前記乾燥材給料機構（２）は、前記切断装置（１）の下方に設けられた転送切断板（２２
）および前記転送切断板（２２）の一端の上方に設けられた乾燥材管（２１）を含み、
前記第１調製室（４）は、乾燥材を予備粉砕し溶剤と混合させるための回転ドラム（５）
、および予備濾過用の第１フィルター（４１）を含み、前記回転ドラム（５）上に溶剤と
乾燥材を前記回転ドラム（５）に流入させるための複数の液入口（５２）が設けられ、前
記各液入口（５２）上に回転ドラム（５）の回転中に液体が流出するのを防止するための
遠心バッフル機構（５３）が設けられ、
図１に示すように、前記第２調製室（６）は、供給物を攪拌するための攪拌機（６１）、
およびさらなる濾過のための第２フィルター（６２）を含み、その第２フィルター６２は
４０メッシュである油田破砕用の一時的なブロッキング剤調製装置である。
【００１２】
前記カッターヘッド（１３）上の各カッター（１３１）上に、各カッター（１３１）間の
距離を調節するための調節ブロック（１３２）が設けられ、本実施例では、乾燥材を１〜
３ｃｍのセグメントに切断し、前記調節ブロック１３２の調節範囲は１〜３ｃｍ、３〜５
ｃｍ、５〜７ｃｍである。
【００１３】
前記溶剤投与管３の内部にらせん状の溶剤混合管３１が設けられ、溶剤混合管３１上に設
けられたらせん状のパイプラインによって溶剤の混合時間を延長する。
【００１４】
図３に示すように、前記遠心バッフル機構５３前記液入口（５２）を封止するための液入
口カバー（５３１）、および前記液入口カバー（５３１）を制御するためのリターンスプ
リング（５３２）を含み、前記回転ドラム５上に溢れた液体を攪拌するための複数の回転
歯５１が設けられている。
【００１５】
本実施例の攪拌機６１および回転ドラム５は同一の回転軸上に位置し外部モータによって
回転し、Ｚ字形ロッド１１および転送切断板２２も外部モータによって動作し、ただし、
転送切断板２２上にギアセットが設けられ、図５に示すように、本実施例では、麦わらを
乾燥材として使用し、耐水性剤と重炭酸カルシウムの混合液を溶剤として使用する。
【００１６】
使用の場合、乾燥材管２１から麦わらを入れ、溶剤投与管３から混合溶剤を投与し、切断
機構１によって麦わらを一定量のセグメントに切断して転送切断板２２を介して第１調製
室４中の回転ドラム５内に転送する同時に、混合溶剤をも回転ドラム５内に投与し、モー
タを起動し回転ドラム５を回転させ、遠心バッフル機構５３は回転遠心作用により液入口
カバー５３１を覆い、回転ドラム５で溶液と麦わらを３０〜５０分回転させた後、モータ
を停止し、遠心バッフル機構５３を開き、一時的なブロッキング剤が流出し、第１フィル
ター４１で濾過した後第２調製室６に入り、攪拌機６１で再度攪拌した後一部の一時的な
ブロッキング剤を第３調製室７に入り、第１、第２、第３調製室にそれぞれ異なるメッシ
ュの一時的なブロッキング剤が充填されている。
【図１】
0003226456.tif 000003
【図２】
0003226456.tif 000004
【図３】
0003226456.tif 000005
【図４】
0003226456.tif 000006